【手続補正書】
【提出日】平成17年3月7日(2005.3.7)
【手続補正１】
【補正対象書類名】明細書
【補正対象項目名】発明の名称
【補正方法】変更
【補正の内容】
【発明の名称】デジタル撮像装置及び通信装置
【手続補正２】
【補正対象書類名】明細書
【補正対象項目名】特許請求の範囲
【補正方法】変更
【補正の内容】
【特許請求の範囲】
【請求項１】
画像データの送信を指示する指示手段を有するデジタル撮像装置であって、
前記指示手段が操作されたときに前記デジタル撮像装置が第１のモードに設定されている場合は、最後に撮影された画像の画像データを送信できるようにし、
前記指示手段が操作されたときに前記デジタル撮像装置が第２のモードに設定されている場合は、表示手段に表示されている画像の画像データを送信できるようにしたことを特徴とするデジタル撮像装置。
【請求項２】
前記第１のモードは、画像を撮影することができるモードであり、
前記第２のモードは、画像を撮影することはできないが、記録媒体に記録されている画像データを表示手段に表示することはできるモードであることを特徴とする請求項１に記載のデジタル撮像装置。
【請求項３】
前記記録媒体は、前記デジタル撮像装置に装着可能なものであることを特徴とする請求項２に記載のデジタル撮像装置。
【請求項４】
前記指示手段が操作されたときに前記デジタル撮像装置が前記第１のモードに設定されている場合において、前記最後に撮影された画像がない場合は、所定の警告を表示できるようにしたことを特徴とする請求項１乃至３の何れかに記載のデジタル撮像装置。
【請求項５】
前記指示手段が操作されたときに前記デジタル撮像装置が前記第２のモードに設定されている場合において、前記表示手段に画像が表示されていない場合は、所定の警告を表示できるようにしたことを特徴とする請求項１乃至４の何れかに記載のデジタル撮像装置。
【請求項６】
前記デジタル撮像装置を前記第１のモード及び前記第２のモードの何れかに設定する設定手段をさらに有することを特徴とする請求項１乃至５の何れかに記載のデジタル撮像装置。
【請求項７】
前記最後に撮影された画像は、前記デジタル撮像装置に装着された記録媒体に最後に記録された画像であることを特徴とする請求項１乃至６の何れかに記載のデジタル撮像装置。
【請求項８】
画像データを無線で送信できるようにしたことを特徴とする請求項１乃至７の何れかに記載のデジタル撮像装置。
【請求項９】
前記デジタル撮像装置は、デジタルカメラであることを特徴とする請求項１乃至８の何れかに記載のデジタル撮像装置。
【請求項１０】
前記デジタル撮像装置は、携帯電話であることを特徴とする請求項１乃至８の何れかに記載のデジタル撮像装置。
【請求項１１】
デジタル撮像装置と通信可能な通信手段を有する通信装置であって、
画像データの送信が指示されたときに前記デジタル撮像装置が第１のモードに設定されている場合は、前記デジタル撮像装置で最後に撮影された画像の画像データを送信できるようにし、
画像データの送信が指示されたときに前記デジタル撮像装置が第２のモードに設定されている場合は、前記デジタル撮像装置の表示手段に表示されている画像の画像データを送信できるようにしたことを特徴とする通信装置。
【請求項１２】
前記第１のモードは、画像を撮影することができるモードであり、
前記第２のモードは、画像を撮影することはできないが、記録媒体に記録されている画像データを表示手段に表示することはできるモードであることを特徴とする請求項１１に記載の通信装置。
【請求項１３】
前記記録媒体は、前記デジタル撮像装置に装着可能なものであることを特徴とする請求項１２に記載の通信装置。
【請求項１４】
画像データの送信が指示されたときに前記デジタル撮像装置が前記第１のモードに設定されている場合において、前記最後に撮影された画像がない場合は、所定の警告を表示できるようにしたことを特徴とする請求項１１乃至１３の何れかに記載の通信装置。
【請求項１５】
画像データの送信が指示されたときに前記デジタル撮像装置が前記第２のモードに設定されている場合において、前記表示手段に画像が表示されていない場合は、所定の警告を表示できるようにしたことを特徴とする請求項１１乃至１４の何れかに記載の通信装置。
【請求項１６】
前記デジタル撮像装置が前記第１のモード及び前記第２のモードの何れかに設定されているか否かを判定する判定手段をさらに有することを特徴とする請求項１１乃至１５の何れかに記載の通信装置。
【請求項１７】
前記最後に撮影された画像は、前記デジタル撮像装置に装着された記録媒体に最後に記録された画像であることを特徴とする請求項１１乃至１６の何れかに記載の通信装置。
【請求項１８】
画像データを無線で送信できるようにしたことを特徴とする請求項１１乃至１７の何れかに記載の通信装置。
【請求項１９】
前記デジタル撮像装置は、デジタルカメラであることを特徴とする請求項１１乃至１８の何れかに記載の通信装置。
【請求項２０】
前記デジタル撮像装置は、携帯電話であることを特徴とする請求項１１乃至１８の何れかに記載の通信装置。
【手続補正３】
【補正対象書類名】明細書
【補正対象項目名】０００１
【補正方法】変更
【補正の内容】
【０００１】
【発明の属する技術分野】
本発明は、デジタルカメラ等のデジタル撮像装置及び通信装置に関する。
【手続補正４】
【補正対象書類名】明細書
【補正対象項目名】０００７
【補正方法】変更
【補正の内容】
【０００７】
【課題を解決するための手段】
本発明に係るデジタル撮像装置は、例えば、画像データの送信を指示する指示手段を有するデジタル撮像装置であって、前記指示手段が操作されたときに前記デジタル撮像装置が第１のモードに設定されている場合は、最後に撮影された画像の画像データを送信できるようにし、前記指示手段が操作されたときに前記デジタル撮像装置が第２のモードに設定されている場合は、表示手段に表示されている画像の画像データを送信できるようにしたことを特徴とする。
【手続補正５】
【補正対象書類名】明細書
【補正対象項目名】０００８
【補正方法】変更
【補正の内容】
【０００８】
本発明に係る通信装置は、例えば、デジタル撮像装置と通信可能な通信手段を有する通信装置であって、画像データの送信が指示されたときに前記デジタル撮像装置が第１のモードに設定されている場合は、前記デジタル撮像装置で最後に撮影された画像の画像データを送信できるようにし、画像データの送信が指示されたときに前記デジタル撮像装置が第２のモードに設定されている場合は、前記デジタル撮像装置の表示手段に表示されている画像の画像データを送信できるようにしたことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】０１１９
【補正方法】変更
【補正の内容】
【０１１９】
【発明の効果】
本発明によれば、例えば、送信ボタンを押すだけで簡単に撮影した画像又は、再生中の画像を送信することができるようになるので、操作が簡便となり操作性が向上する。